(57)【特許請求の範囲】
【請求項１】
撮像素子と、該撮像素子を介して取得した画像データを記録媒体に記録する記録手段とを有する電子カメラにおいて、該電子カメラは、
画像データを格納するフォルダーを選択させる画面を表示する表示手段と、
前記記録媒体の記録領域に存在していない複数の仮想的なフォルダーを前記表示手段のフォルダー選択画面に表示させる制御を行う制御手段と、
前記フォルダー選択画面上で前記複数の仮想的なフォルダーの中から所望のフォルダーを選択する操作を行うためのフォルダー選択手段と、
前記フォルダー選択手段によって選択されたフォルダーに画像データを最初に記録する時に、当該選択に係る仮想的なフォルダーに対応する実際のフォルダーを前記記録媒体の記録領域に作成するフォルダー作成手段と、
前記フォルダー選択手段によって選択されたフォルダーに対応する前記記録媒体上の実際のフォルダー内に前記画像データを格納させる記録制御手段と、
を備えることを特徴とする電子カメラ。
【請求項２】
前記フォルダー選択手段によって選択されたフォルダーに画像データを記録する際に、記録順番を表すファイル名を自動付与するファイル名自動付与手段と、前記フォルダー選択手段によって選択されているフォルダーを表すフォルダー情報を表示する情報表示手段と、を具備していることを特徴とする請求項１の電子カメラ。
【請求項３】
前記フォルダー選択手段によって選択されているフォルダー内のファイルが所定の数になり前記フォルダー内にファイルが作成できない場合は、前記電子カメラの撮影動作を禁止する禁止手段を備えることを特徴とする請求項１又は２の電子カメラ。
【請求項４】
請求項１乃至３のいずれかの電子カメラにおいて、該電子カメラは、
前記撮像素子によって画像データを取得する撮影モード及び前記表示手段により画像の出力を行う再生モードを選択するモード選択手段と、
再生モード時に、前記フォルダー選択手段によって選択されたフォルダー内に格納されている画像データを前記表示手段を用いて出力させる再生制御手段と、
を備え、
前記表示手段には、選択されているフォルダーを表すフォルダー情報が表示されることを特徴とする電子カメラ。
【請求項５】
再生モード時には、前記フォルダー選択手段によって選択されているフォルダー内の画像データのうち、最後に記録された画像データから順に再生されることを特徴とする請求項４の電子カメラ。
【発明の詳細な説明】
【０００１】
【発明の属する技術分野】
本発明はデジタルカメラ等の電子カメラに係り、特に、撮像素子を用いて光学像を電気信号に変換し、静止画や動画の画像情報を記録媒体に記録する電子カメラに関する。
【０００２】
【従来の技術】
デジタルカメラにおいては、撮像素子を介して撮影により取得した画像はデジタル画像データとしてカメラ内部のメモリや着脱可能なＩＣカード等の記録媒体（リムーバブルメディア）に記録される。こうして記録された画像は、液晶モニタ等の表示装置に表示させることができるとともに、パソコン等の外部装置に転送して利用することができる。
【０００３】
【発明が解決しようとする課題】
しかしながら、従来のデジタルカメラでは、記録メディアに単一のフォルダーを作成し、このフォルダーに撮影画像データを順次格納していくようになっている。また、最初に作成した一つのフォルダーがデータの記録限界（Full) に達した時点で、次のフォルダーが自動生成され、以後そのフォルダーに画像データが記録されていくカメラもある。
【０００４】
このような従来の記録方法では、撮影順に画像データが蓄積されるに過ぎず、例えば、撮影場所を変えて多数の撮影を行う場合や、撮影日時・被写体を変えて撮影する場合など、記録メディアに蓄積された画像データを後で分類、整理するのが困難である。
【０００５】
この点、特開平６−２３３２２５号公報には、画像データのファイルを見やすく整理するため、撮影モード毎にディレクトリを作成して、その中に所定の撮影モードで撮影された画像データのファイルのみを格納するようにしている。
【０００６】
しかし、同公報に記載の方法では、撮影モード毎に別々のフォルダーを作成しているので、ユーザーが望むファイル分類ができない場合がある。
【０００７】
本発明はこのような事情に鑑みてなされたもので、記録後の画像ファイルの整理・検索をし易くすることができる電子カメラを提供することを目的とする。
【０００８】
【課題を解決するための手段】
本発明は前記目的を達成するために、撮像素子と、該撮像素子を介して取得した画像データを記録媒体に記録する記録手段とを有する電子カメラにおいて、該電子カメラは、画像データを格納するフォルダーを選択させる画面を表示する表示手段と、前記記録媒体の記録領域に存在していない複数の仮想的なフォルダーを前記表示手段のフォルダー選択画面に表示させる制御を行う制御手段と、前記フォルダー選択画面上で前記複数の仮想的なフォルダーの中から所望のフォルダーを選択する操作を行うためのフォルダー選択手段と、前記フォルダー選択手段によって選択されたフォルダーに画像データを最初に記録する時に、当該選択に係る仮想的なフォルダーに対応する実際のフォルダーを前記記録媒体の記録領域に作成するフォルダー作成手段と、前記フォルダー選択手段によって選択されたフォルダーに対応する前記記録媒体上の実際のフォルダー内に前記画像データを格納させる記録制御手段と、を備えることを特徴とする。
【０００９】
本発明によれば、予め複数のフォルダーが仮想的に用意されており、ユーザーがフォルダー選択手段によって、データの保存先フォルダーを選択できる。撮像素子で撮像された画像のデータは、前記選択されたフォルダーに記録される。このように、データの記録時にフォルダーを分けることにより、関連性のある画像データを共通のフォルダーに保存することができ、後で画像を整理、検索する際に便利である。
【００１０】
また、本発明の電子カメラでは、前記フォルダー選択手段によって選択されたフォルダーに画像データを記録する時に当該選択されたフォルダーが実際に作成される。かかる態様によれば、画像データの記録時に選択に係るフォルダーを作成し、以後、フォルダーの変更が無い限り、当該フォルダーに画像データが記録される。これにより、空のフォルダーが作成されるのを防ぐことができる。また、用意してある複数のフォルダーについて予めフォルダー名を与えておけば、ユーザーは、面倒なフォルダー名の設定等を行うことなく、フォルダーを選ぶだけで、保存先フォルダーを指定することができ操作が簡単になる。
【００１１】
本発明の電子カメラにおいて、更に、前記フォルダー選択手段によって選択されたフォルダーに画像データを記録する際に、記録順番を表すファイル名を自動付与するファイル名自動付与手段を付加する態様が好ましい。これにより、ユーザーのファイル名入力作業が不要となり、撮影順番に基づいた画像再生制御も可能である。
【００１２】
また、本発明の電子カメラにおいて、前記フォルダー選択手段によって選択されているフォルダーを表すフォルダー情報を表示する情報表示手段を付加する態様が好ましい。情報表示手段の表示によって、ユーザーは選択に係るフォルダーを簡単に確認することができる。
【００１３】
本発明の他の態様に係る電子カメラは、上記構成の電子カメラにおいて、更に、前記フォルダー選択手段によって選択されているフォルダー内のファイルが所定の数になり前記フォルダー内にファイルが作成できない場合は、前記電子カメラの撮影動作を禁止する禁止手段を備えていることを特徴としている。
【００１４】
発明の更に他の態様に係る電子カメラは、上記構成に加えて、前記撮像素子によって画像データを取得する撮影モード及び前記表示手段により画像の出力を行う再生モードを選択するモード選択手段と、再生モード時に、前記フォルダー選択手段によって選択されたフォルダー内に格納されている画像データを前記表示手段を用いて出力させる再生制御手段と、を備え、前記表示手段には、選択されているフォルダーを表すフォルダー情報が表示されることを特徴としている。
【００１５】
この場合、前記表示手段には、画像表示のみならず、選択されているフォルダーを表すフォルダー情報も表示される。
【００１６】
再生機能を有する本発明の電子カメラの一態様として、撮影順番に関する情報を記憶する手段によって、撮影順番を管理し、再生モード時には、前記フォルダー選択手段によって選択されているフォルダー内の画像データのうち、最後に記録された画像データから順に再生する態様がある。ファイル名を撮影順に連番とすることにより、ファイル名から撮影順番の情報を取得できる。
【００１７】
【発明の実施の形態】
以下添付図面に従って本発明に係る電子カメラの好ましい実施の形態について詳説する。
【００１８】
図１は本発明の実施の形態に係るデジタルカメラの外観図である。このカメラ１０は、主に工事現場における施工確認写真等の撮影用途に配慮して設計されたデジタルカメラであり、ボディ１２は硬質の樹脂素材により形成されている。カメラ１０の正面には、撮影レンズ１４、ファインダー窓１６、ストロボ１８、ストロボ調光センサー２０が設けられている。撮影レンズ１４の前面にはレンズ保護用の透明ガラス２２が設けられている。レンズ保護部材の材質はガラスに限らず、同程度の役割を果たし得る透明樹脂その他の代替材料であってもよい。
【００１９】
撮影レンズ１４の後方には撮像素子としてのＣＣＤイメージセンサ（図１中不図示、図７中符号９０として記載、以下、ＣＣＤという。）が配設されている。図１中符号２４はグリップである。グリップ２４は撮影者が手袋をはめたままでも両手でカメラ１０をしっかり保持できるようにとの配慮からボディ１２の両脇に形成されている。
【００２０】
カメラ１０の上面にはレリーズボタン２６と液晶表示パネル２８が配設され、側面部には端子カバー３０が設けられている。端子カバー３０は図示せぬヒンジ機構によってボディ１２に開閉自在に連結されており、端子カバー３０を図１の下方にスライドさせてから上方に持ち上げるようにして該端子カバー３０を開放させる構造になっている。なお、端子カバー３０の表面には開閉操作し易いように滑り止め３０Ａが形成されている。
【００２１】
端子カバー３０の位置に対応するボディ１２側には凹部３２が形成されており、ここに映像出力（VIDEO OUT)端子３４及び電源入力端子（例えば、DC IN 3V用の端子) ３６が設けられている。図示せぬビデオケーブルを前記映像出力端子３４に接続することにより、テレビ受像機その他の外部機器に映像信号を出力することができるとともに、図示せぬＡＣパワーアダプターの端子を前記電源入力端子３６に接続することにより、カメラ外部から電源を供給することができる。
【００２２】
端子カバー３０の裏面には前記凹部３２に嵌合可能な凸部３８が形成され、該凸部３８の周囲には防水用のシール部材（オーリング）４０が配設されている。これにより、端子カバー３０を閉じた時に端子部が防水保護される。
【００２３】
図２はカメラ１０の平面図である。図２中符号４２はストラップ取付部である。ストラップ取付部４２はボディ１２の左右両端に設けられており、ストラップ取付部４２に図示せぬネックストラップが取り付けられる。
【００２４】
レリーズボタン２６は２段階式に構成され、レリーズボタン２６を軽く押して止める「半押し」の状態で自動ピント合わせ（ＡＦ）及び自動露出制御（ＡＥ）が作動してＡＦとＡＥをロックし、「半押し」から更に押し込む「全押し」の状態で撮影が実行される。
【００２５】
液晶表示パネル２８は、カメラの状態や撮影モード等に関する情報を表示する手段である。図３に示すように、液晶表示パネル２８は、選択中のフォルダー番号を表示するフォルダー番号表示部４４、標準撮影可能枚数やモード情報を表示するコマ番号／情報表示部４５、電池残容量表示部４６、ストロボ強制発光／発光禁止のストロボモードを示すマーク表示を行うストロボ情報表示部４７、マクロ（近距離撮影）モード設定時にマクロモードであることを示すマクロマークの表示を行うマクロ情報表示部４８、及び日付表示を行うカレンダー表示部４９を備えており、各表示部４４〜４９にそれぞれ対応する所定の情報内容が表示される。
【００２６】
図４はカメラ１０の背面図である。同図に示すようにカメラ１０の背面には、、液晶モニタ５０、ファインダー５２、電源／モードレバー５４、キャンセル／フォルダー選択ボタン５６、十字ボタン５８、表示ボタン６０、メニュー／実行ボタン６２等が設けられている。
【００２７】
液晶モニタ５０は、カラー液晶ディスプレイで構成されており、ＣＣＤ９０を介して取り込まれる画像や、本カメラ１０に装填されたメモリカード（図４中不図示、図６中符号８８として記載）から読み出した再生画像等が表示される。また、液晶モニタ５０には、画像以外にもモード情報、電池残量警告、撮影日時、標準撮影可能枚数、再生コマ番号なども表示される。なお、図３で説明した液晶表示パネル２８と液晶モニタ５０とを区別するために、以下、液晶表示パネル２８のことを「文字液晶２８」と呼ぶことにする。
【００２８】
撮影モードにおいて、表示ボタン６０を押下操作すると液晶モニタ５０の表示をＯＮ／ＯＦＦでき、ファインダー５２を覗いて画角合わせを行う省電力撮影モード（スチルモードという。）とすることができる。ただし、マクロモード時には液晶モニタ５０をＯＦＦすることはできないようになっている。
【００２９】
ファインダー５２の脇にはファインダーランプ６４が配設されており、該ランプの点灯色と点灯状態（点灯／点滅）の組み合わせによってカメラ１０の動作状況や状態を表すようになっている。
【００３０】
電源／モードレバー５４は、主電源のＯＮ／ＯＦＦを行う電源スイッチと、撮影モード及び再生モードの切り換えを行うモード選択スイッチの機能を兼備した電源スイッチ兼用モード切換手段である。この電源／モードレバー５４は、図４において下から電源ＯＦＦ位置、再生モード位置、及び撮影モード位置の順に３つの位置で停止可能な回動式レバースイッチで構成されている。
【００３１】
撮影モードは、撮影を行う場合及びカメラ１０のセットアップを行う場合に選択されるモードである。再生モードは、メモリカード８８に格納されている画像の再生及び消去等を行う場合に選択されるモードである。再生時の出力形態としては、液晶モニタ５０に一コマずつ画像を再生表示する通常再生（一コマ再生）のほか、液晶モニタ５０の一画面に複数コマの画像を配列して表示させるマルチ再生も可能である。また、再生モードにおいて、画像の消去、メモリカードの初期化（フォーマット）、誤消去防止（プロテクト）の設定及び解除、プリント情報の入力等が可能である。
【００３２】
電源／モードレバー５４を電源ＯＦＦ位置に合わせるとカメラ１０の主電源がＯＦＦされる。カメラ１０はオートパワーオフ機能を有し、無操作状態が所定時間（例えば２分間）継続した場合、電源を自動的にオフするようになっている。オートパワーオフ機能によってパワーオフされた状態から復帰させるには、電源／モードレバー５４を一旦電源ＯＦＦ位置に戻してから、撮影モード又は再生モードに設定し直すことになる。
【００３３】
キャンセル／フォルダー選択ボタン５６は、液晶モニタ５０にフォルダー切り換えメニュー画面を表示させる機能と取消（キャンセル）ボタンの機能を兼備した操作スイッチである。フォルダー選択の操作手順について詳しくは後述するが、撮影モード又は再生モードの何れかのモードにおいてメニュー画面以外の表示が行われているときに当該キャンセル／フォルダー選択ボタン５６が押されると、フォルダー切り換えメニュー表示に遷移する。
【００３４】
このフォルダー切り換えメニュー画面において十字ボタン５８の上下カーソルボタン６６を操作してフォルダーを切り換え、所望のフォルダーを選択してメニュー／実行ボタン６２で確定する。このカメラ１０では１０個のフォルダー（フォルダー名：100 ＿FUJI〜 109＿FUJI）が予め仮想的に用意されており、デフォルトが 100＿FUJIとなっている。
【００３５】
キャンセル／フォルダー選択ボタン５６が取消ボタンとして使用される場合としては、例えば、再生モード時にメニュー表示画面から通常画面（若しくは、一つ前の画面）に復帰させる時、消去項目の選択キャンセル、プロテクト項目の選択キャンセル、プリント指定項目の選択キャンセル、日時設定の選択キャンセル、メニュー画面への復帰等を行う場合などがあり、必要に応じて該ボタン５６が押下操作される。
【００３６】
十字ボタン５８は、上下カーソルボタン６６、右カーソル兼用ストロボボタン６７及び左カーソル兼用マクロボタン６８から構成される。
【００３７】
上下カーソルボタン６６は、メニュー画面表示中にメニュー項目を選択したり、フォルダー切り換えメニュー表示中に、フォルダー番号を選択する時に使用される。また、上下カーソルボタン６６は、液晶モニタ５０の明るさ調整を行う調整手段として兼用されており、上カーソルボタン６６Ａで明るさアップ、下カーソルボタン６６Ｂで明るさダウンの調整を行うことができる。
【００３８】
右カーソル兼用ストロボボタン６７は、メニュー表示中にあっては、当該ボタン６７によって各メニュー項目の設定変更を行い、メニュー表示以外では撮影モード、再生モードにおいて機能が異なる。すなわち、撮影モードでは、該ボタン６７はストロボモードの切換スイッチとして機能し、一回押す毎に「オート（低輝度自動発光）」→「強制発光」→「発光禁止」→「オート」…という具合にストロボモードがサイクリックに循環する。
【００３９】
電源のＯＮ／ＯＦＦ操作、或いはオートパワーオフ機能によるパワーオフの場合にも、パワーオフ直前に設定されていたストロボモードが記憶されており、再起動時にはストロボモードの設定は前回と同じ状態に維持される。ストロボモードが「オート」以外の場合には文字液晶２８及び液晶モニタ５０の画面に所定のマーク表示によってストロボモード情報が表示されるようになっている。
【００４０】
再生モードの場合、右カーソル兼用ストロボボタン６７は、再生コマを順送りする送りボタンとして使用される。
【００４１】
左カーソル兼用マクロボタン６８は、メニュー表示中にあっては、当該ボタン６８によって各メニュー項目の設定変更を行い、メニュー表示以外では撮影モード、再生モードにおいて機能が異なる。撮影モードでは、該ボタン６８はマクロモード設定スイッチとして機能する。このボタン６８が押されると、カメラ１０は近距離撮影に適したマクロモードに設定され、液晶モニタ５０が自動的にオンされる。そして、ＣＣＤ９０が捉えている映像（スルー画、ライブ画像）が液晶モニタ５０に表示されるとともに、文字液晶２８及び液晶モニタ５０の画面にマクロモード情報（マクロマーク）が表示される。
【００４２】
マクロモードでは、マクロモードに入る前のストロボモードがそのまま継承される。マクロモードに移行した後、もう一度このボタン６８を押すとマクロモードの設定が解除される。
【００４３】
電源／モードレバー５４による電源のＯＦＦ操作、或いはオートパワーオフ機能によるパワーオフの場合にはマクロモードの設定も解除（オフ）されるため、再起動時に改めてマクロモードに設定する必要がある。また、マクロモード中は表示ボタン６０を押下しても液晶モニタ５０はＯＦＦされない。近距離撮影においてはパララックスの影響でファインダー５２（光学ファインダー）による画角合わせが不正確になりがちなので、液晶モニタ５０を通して実際の撮影画像を確認することで、より正確な画角合わせが可能となる。
【００４４】
再生モードの場合、左カーソル兼用マクロボタン６８は、再生コマを逆送りするボタンとして使用される。
【００４５】
表示ボタン６０は、撮影モード時に液晶モニタ５０の表示をＯＮ／ＯＦＦ切り替えするためのスイッチである。再生モード時には該ボタン６０を一回押す毎に、「一コマ再生のオンスクリーンディスプレイ（ＯＳＤ）表示」→「一コマ再生のＯＳＤ表示なし」→「マルチ再生（３秒間のＯＳＤ表示付き）」とサイクリックに循環する。ただし、メニュー表示中は「一コマ再生」←→「マルチ再生」と切り換わる。
【００４６】
メニュー／実行ボタン６２は、各モードの通常画面からメニュー画面へ遷移させる時、或いは、各モードのメニュー画面においては、選択項目を有効にして通常画面（メニュー階層が複数にわたっている場合には、ひとつ前の画面）に遷移させる時などに使用される。具体的には、撮影モード及び再生モード時のメニュー表示、選択項目の確定、消去項目の選択確定と消去実行、プロテクト項目の選択確定と実行、プリント指定項目の選択確定と実行、メニュー項目の選択確定、日時設定の選択確定、撮影メニューへの復帰などの場合に使用される。
【００４７】
図４中カメラ１０底部の符号７０は電池蓋である。電池蓋７０は図示せぬヒンジ機構によってボディ１２に開閉自在に連結されており、該電池蓋７０を図４の右方向にスライドさせてから下方に向けて開放する構造になっている。
【００４８】
図５はカメラ１０の底面側斜視図である。同図に示したように、電池蓋７０の位置に対応するボディ１２側には凹部７２が形成されており、ここに電池収納部７４と、メモリカード８８（図５中不図示）が挿入されるメディアスロット７６が形成されている。
【００４９】
電池蓋７０の裏面には前記凹部７２に嵌合可能な凸部７８が形成され、該凸部７８の周囲には防水用のシール部材（オーリング）８０が設けられている。これにより、電池蓋７０を閉じた時に電池収納部７４及びメディアスロット７６が防水保護される。図５中符号８２は電池の電極に接触する端子、８４はメモリカード引き出しツマミ、８６は三脚用ネジ穴である。
【００５０】
バッテリー交換時、又はメモリカードの挿入抜去時に、前記電池蓋７０が開放される。バッテリー駆動時は、電池蓋７０の開放（オープン）によりパワーオフする。また、ＡＣパワーアダプター使用時でも電池蓋７０をオープンすると電源が切れるようになっている。この場合、電池蓋７０を閉めても再度、電源／モードレバー５４を操作して、パワーオフから各モードに設定しなければ電源が入らない。
【００５１】
図６に示すように、メディアスロット７６にメモリカード８８を奥まで差し込むことにより、カメラ１０にメモリカード８８が装着される。メモリカード８８を取り出す時は、メモリカード引き出しツマミ８４を止まるところまで引き、メモリカード８８の一部がメディアスロット７６から出てきたところでメモリカード８８の端を摘んで取り出す構造になっている。
【００５２】
図７はカメラ１０のブロック図である。同図に示すように、カメラ１０は、主として撮影レンズ１４、ＣＣＤ９０、アナログ信号処理部９２、Ａ／Ｄ変換器９４、メモリコントローラ９６、画像用メモリ９８、デジタル信号処理部１００、圧縮伸張回路１０２、ＶＲＡＭ（Video RAM ）１０４、キャラクタジェネレータ１０６、Ｄ／Ａ変換器１０８、液晶モニタ５０、メモリカード８８のインターフェースとしてのメディアスロット７６、中央処理装置（ＣＰＵ）１１０、ＲＯＭ１１２、ＲＡＭ１１４、文字液晶２８、及び各種キースイッチを含む操作部１１６等から構成されている。
【００５３】
撮影レンズ１４は、１枚又は複数枚のレンズで構成され、単一の焦点距離（固定焦点）のレンズでも良いし、ズームレンズや望遠／広角の二焦点切替式レンズの如く焦点距離可変のものでもよい。
【００５４】
撮影レンズ１４を介してＣＣＤ９０の受光面に結像された被写体像は、各センサで入射光量に応じた量の信号電荷に変換される。このようにして蓄積された信号電荷は、図示しないＣＣＤ駆動回路から加えられるＣＣＤ駆動パルスによって読み出され、信号電荷に応じた電圧信号（アナログ撮像信号）として順次ＣＣＤ９０から出力される。
【００５５】
ＣＣＤ９０には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ９０は、シャッターゲートパルスによって各センサに蓄積される電荷の蓄積時間（シャッタースピード）を制御する、いわゆる電子シャッター機能を有している。
【００５６】
ＣＣＤ９０から読み出された信号は、アナログ信号処理部９２に加えられる。アナログ信号処理部９２は、サンプリングホールド回路やゲイン調整回路を含み、ＣＣＤ９０の撮像信号はアナログ信号処理部９２において相関二重サンプリング（ＣＤＳ）処理並びにＲ，Ｇ，Ｂの各色信号に色分離処理され、各色信号の信号レベルの調整（プリホワイトバランス処理）が行われる。
【００５７】
アナログ信号処理部９２から出力された信号は、Ａ／Ｄ変換器９４においてＲ，Ｇ，Ｂのデジタル信号に変換された後、メモリコントローラ９６を介して画像用メモリ９８に格納される。
【００５８】
画像用メモリ９８に記憶されたデータはメモリコントローラ９６を介してデジタル信号処理部１００へ送られる。デジタル信号処理部１００は輝度・色差信号変換回路やガンマ補正回路等を含む。デジタル信号処理部１００に入力されたＲＧＢデータは、輝度信号（Ｙ信号）及び色差信号（Ｃr,Ｃb 信号）に変換されるとともに、ガンマ補正等の所定の処理が施された後、再び画像用メモリ９８に書き戻される。
【００５９】
画像用メモリ９８に格納された輝度・色差信号（ＹＣ信号と略記する）は、メモリコントローラ９６によって読み出され、ＶＲＡＭ１０４に供給される。ＶＲＡＭ１０４にはキャラクタジェネレータ１０６が接続されており、キャラクタジェネレータ１０６が発生する文字や記号のデータは画像データに付加されてＶＲＡＭ１０４に記憶される。
【００６０】
ＶＲＡＭ１０４に記憶されたデータは、エンコーダによって表示用の所定方式の信号（例えば、ＮＴＳＣ方式のカラー複合映像信号）に変換された後、Ｄ／Ａ変換器１０８を介して映像出力端子３４より外部出力されるとともに、液晶モニタ５０に出力される。なお、表示手段は液晶ディスプレイに限らず、カラー表示可能な他の表示装置を適用してもよい。
【００６１】
ＣＣＤ９０から出力される撮像信号によって画像データが定期的に書き換えられ、その画像データから生成される映像信号が液晶モニタ５０に供給されることにより、ＣＣＤ９０が捉える画像がリアルタイムに動画像（ライブ画像）として、又はリアルタイムではないが、ほぼ連続した画像として液晶モニタ５０に表示される。
【００６２】
液晶モニタ５０は電子ビューファインダーとして利用でき、撮影者は液晶モニタ５０の表示画像又はファインダー５２によって撮影画角を確認することができる。操作部１１６に含まれるレリーズボタン２６の押下操作など所定の記録指示（撮影開始指示）操作に呼応して、記録用の画像データの取り込みが開始される。
【００６３】
撮影者が操作部１１６から撮影記録の指示を入力すると、ＣＰＵ１１０は必要に応じて圧縮伸張回路１０２にコマンドを送り、これにより圧縮伸張回路１０２は画像用メモリ９８上の画像データをＪＰＥＧその他の所定の形式に従って圧縮する。圧縮された画像データはメディアスロット７６を介してメモリカード８８に記録される。
【００６４】
非圧縮の画像データを記録するモード（非圧縮モード）が選択されている場合には、前記圧縮伸張回路１０２による圧縮処理を実施せずに、非圧縮のまま画像データがメモリカード８８に記録される。
【００６５】
本例のデジタルカメラ１０は、画像データを保存する記録手段としてメモリカード８８が用いられている。具体的には、例えばスマートメディア（Solid-State Floppy Disk Card）が適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００６６】
本例のカメラ１０ではＤＰＯＦ（Digital Print Order Format）規格の記録形式に従って、ＣＣＤ９０で撮影された各コマの画像データを画像ファイルとして記録する他に、各コマの画像のプリント情報をプリント情報ファイル（ＤＰＯＦファイル）として記録する。プリント情報は、メモリカード８８に記録された画像をプリントする際に参照されるもので、例えば、プリント枚数やトリミング等に関する情報、及びプリント済みの有無の情報等が記録可能で、各コマのプリント情報は１つのプリント情報ファイルにテキストファイル形式で記載されるようになっている。
【００６７】
再生モード時にはメモリカード８８から読み出された画像データが圧縮伸張回路１０２によって伸張処理され、ＶＲＡＭ１０４及びＤ／Ａ変換器１０８を介して液晶モニタ５０に出力される。
【００６８】
ＣＰＵ１１０は、カメラ１０の各回路を統括制御する制御部（制御手段）であり、バス１１８を介してメモリコントローラ９６、ＲＯＭ１１２、及びＲＡＭ１１４等と接続されている。ＲＯＭ１１２にはカメラ１０の制御プログラムや制御に必要な各種の設定データ等が格納されている。ＣＰＵ１１０は必要に応じてＲＯＭ１１２の情報を読み出して、カメラ１０を制御する。ＲＡＭ１１４はＣＰＵ１１０が各種の演算処理等を行う際の作業用メモリとして利用される。
【００６９】
ＣＰＵ１１０は操作部１１６から受入する入力信号に基づき、対応する回路の動作を制御するとともに、液晶モニタ５０及び文字液晶２８における表示の制御も司る。また、ＣＰＵ１１０は、撮影レンズ１４のズーミング動作や焦点調節（ＡＦ）動作の制御、並びに自動露出調節（ＡＥ）の制御等を行う。すなわち、ＣＰＵ１１０はＣＣＤ９０から出力される撮像信号に基づいて、焦点評価演算やＡＥ演算などの各種演算を行い、その演算に基づいて、図示せぬフォーカスレンズ駆動用モータを制御してフォーカスレンズを合焦位置に移動させるとともに、ＣＣＤ９０の電荷の蓄積時間を制御する。
【００７０】
したがって、カメラ１０の撮影レンズ１４を被写体に向けるだけで、最適な露出調整が行われるとともに、ピント合わせが自動的に行われる。なお、ＡＥ、ＡＦはＣＣＤ９０から取得される撮像信号に基づいて制御する方法の他、周知の測光センサやＡＦ投光／受光センサからなる測距センサ等を用いてもよい。
【００７１】
操作部１１６は、画像の記録開始の指示を与えるレリーズボタン２６や図４で説明した十字ボタン５８、表示ボタン６０、メニュー／実行ボタン６２など各種の入力手段を含むブロックである。入力手段は、スイッチボタン、ダイヤル、スライド式ツマミなどの形態に限らず、タッチパネルや液晶モニタ５０の画面上において設定メニューや選択項目を表示してカーソルで所望の項目を選択する態様もある。
【００７２】
本例のカメラ１０は操作部１１６はボディ１２に配設されているが、操作部１１６に相当する部分をリモコン送信機としてカメラ本体と分離した構成にすることも可能である。
【００７３】
図８はメモリカードのフォルダー階層構造を示す概念図である。フォーマットされたメモリカード８８はルート（ROOT) の下に「DSC 」フォルダーが作成され、この下に 100＿FUJI, 101＿FUJI， 102＿FUJI … 109＿FUJIという１０個のフォルダーが仮想的に用意される。空のフォルダーを作らないために、メモリカード８８を初期化した段階では 100＿FUJI, 101＿FUJI， 102＿FUJI … 109＿FUJI、というフォルダーは実際には作成されていない。
【００７４】
ユーザーが「 100＿FUJI」〜「 109＿FUJI」のうちから何れかのフォルダーを選択して、実際に画像データをフォルダーに格納する際に、実質的なフォルダーの作成が行われる。
【００７５】
デフォルトで 100＿FUJIが設定されているが、キャンセル／フォルダー選択ボタン５６の押下によって液晶モニタ５０にフォルダー切り換えメニューが表示され、上下カーソルボタン６６でフォルダーを切り換えた後、メニュー／実行ボタン６２を押下して確定させるという操作手順によって、フォルダーを自由に選択することができる。
【００７６】
各フォルダーには９９９９枚の画像（９９９９個の画像ファイル）を格納することができる。画像データは撮影順番に従って「DSCF****.JPG」というファイル名がＣＰＵ１１０によって自動付与される。「DSCF」に続く４桁の番号が当該フォルダー内におけるファイル番号となる。
【００７７】
本例のカメラ１０で選択できるフォルダー（No.100〜109)の各々に「コマNo. メモリ機能」が備わっている。図９はコマNo. メモリ機能の概念図である。同図に示すように、コマNo. メモリ機能を「ＯＦＦ」に設定すると、メモリカード毎にファイルNo.0001 から撮影を開始する。したがって、この場合、カメラ１０からメモリカードＡを抜いて、別のメモリカードＢを装着した時には、交換前のメモリカードＡとは無関係にメモリカードＢにおいて独立にファイルNo. の付与が行われる。
【００７８】
その一方、コマNo. メモリ機能を「ＯＮ」に設定すると、複数のメモリカードを使用しても、同じ番号のフォルダー内ではファイルNo. が連続するようにファイルNo. が付与される。コマNo. メモリ機能を「ＯＮ」にすると、メモリカードを交換しても同じ番号のフォルダーではファイルNo. が連番となるため、パソコンなどに画像を取り込んだ時にファイル名が重複せず、ファイル管理に便利である。
【００７９】
なお、コマNo. メモリ機能の「ＯＮ」／「ＯＦＦ」設定によらず、記憶した「最終ファイルNo. 」より大きいファイルNo. の画像がフォルダー内に存在している場合には、その大きいファイルNo. の続きからファイルNo. が付与されていく。
【００８０】
再生モードにおいてメモリカード８８内の画像を再生すると、図１０に示すように、液晶モニタ５０の画面右上に７桁の数字（コマNo. ）が表示される。７桁のうち上３桁がフォルダーNo. を示し、ハイフン（−）から下４桁がファイルNo. を表す。
【００８１】
ファイルNo. は「0001」から「9999」まで付与することができ、「9999」を超えて記録することができない。図１１に示すように、フォルダー内のファイル番号が「9999」に到達した場合、当該フォルダーに新しく画像データを記録するには、フォルダー内の画像を全て消去し、コマNo. メモリ機能を「ＯＦＦ」にすることで、新たにファイルNo.0001 から順に記録が可能になる。
【００８２】
図１２及び図１３は本例のカメラ１０におけるファイル選択の手順を示す説明図である。これらの図を用いてファイル選択の手順を概説すると、撮影モード又は再生モードにおいて、図１２（ａ）に示すようにキャンセル／ファイル選択ボタン５６を押下すると、同図（ｂ）に示したように、液晶モニタ５０に選択中のフォルダー画面が表示されるとともに、文字液晶２８には同図（ｃ）に示すように、選択中のフォルダー番号表示が点滅する。なお、液晶モニタ５０がＯＦＦの場合（省電力撮影モード時）にも、キャンセル／フォルダー選択ボタン５６の押下に応動して液晶モニタ５０がＯＮになる。
【００８３】
この状態で図１３（ａ）に示すように上下カーソルボタン６６を押すと、フォルダーが切り換わる。同図（ｂ）に示すように、上下カーソルボタン６６の押下に応じてフォルダー番号「１００」〜「１０９」の中でフォルダーが切り換わるようになっている。そして所望のフォルダー番号を表示させた状態で同図（ｃ）に示したように、メニュー／実行ボタン６２を押すと選択フォルダーが確定する。
【００８４】
次に、上記の如く構成されたカメラ１０の動作について説明する。
【００８５】
図１４はカメラ１０を撮影モードに設定した場合のモード遷移図である。電源／モードレバー５４が「ＯＦＦ」の位置にあると、カメラ１０は電源オフの状態（＃４００）であり、ここから電源／モードレバー５４が「撮影モード」に設定されることにより、電源がＯＮして、ストロボ充電状態（＃４０２）に移行する。
【００８６】
充電が完了すると、液晶モニタ５０においてＯＳＤ及びムービー（スルー画）表示を行うムービーモード（＃４０４）となる。ただし、撮影メニューにおいて起動時に液晶モニタオフの設定がなされている場合には、モニタ表示を行わないスチルモード（＃４０８）となる。
【００８７】
ＯＳＤオンのムービーモード（＃４０４）において表示ボタン６０が押されると、ＯＳＤがオフとなり液晶モニタ５０にムービー表示のみが表示されるムービーモード（＃４０６）に移行する。このＯＳＤオフのムービーモード（＃４０６）において更に表示ボタン６０が押されると、スチルモード（＃４０８）に移行する。
【００８８】
ＯＳＤオンのムービーモード（＃４０４）、ＯＳＤオフのムービーモード（＃４０６）、又はスチルモード（＃４０８）の何れかのモードにおいてメニュー／実行ボタン６２が押されると、メニュー表示状態（＃４１０）となり、このメニュー表示状態（＃４１０）で再びメニュー／実行ボタン６２が押されると、一つ前のモード（メニュー表示状態に遷移する前のモード）に復帰する。
【００８９】
また、メニュー表示状態（＃４１０）においてメニュー画面から「セットアップ」の項目を選択すると、セットアップメニューの表示状態（＃４１２）に遷移する。セットアップメニューには、ＬＣＤ設定、コマNo. メモリ設定、ビープ音設定、カレンダー設定などのサブメニューの設定項目がある。上下カーソルボタン６６によって項目を移動、左右カーソルボタン（６７、６８）によって設定内容を変えることができる。
【００９０】
設定終了後又は他のサブメニューへ移動させる時は、左右カーソルボタン（６７、６８）或いはメニュー／実行ボタン６２を押下する。メニューで設定された内容はＥＥＰＲＯＭなどの不揮発性メモリに記憶され、電源のオン／オフによって保持されている。メニュー終了後に電源をオフし、或いは電池が抜かれた場合でも設定内容は保持される。しかし、メニュー設定中に電池を抜かれた場合は、ＥＥＰＲＯＭへライトしている場合があり、データを保証できない。この場合、初期値に戻る。
【００９１】
サブメニューの内容について十字ボタン５８で所望の項目を選択し、メニュー／実行ボタン６２で確定を行う。セットアップメニュー画面でキャンセル／フォルダー選択ボタン５６を押すと、メニュー画面に戻る。撮影メニューに復帰後、さらにメニュー／実行ボタン６２を押すと、所定の撮影モード（＃４０４、＃４０６又は＃４０８）に戻る。
【００９２】
ＯＳＤオンのムービーモード（＃４０４）、ＯＳＤオフのムービーモード（＃４０６）、又はスチルモード（＃４０８）の何れかのモードにおいてキャンセル／／フォルダー選択ボタン５６が押されると、フォルダー選択画面（＃４１４）に移行する。この状態で上下カーソルボタン６６とメニュー／実行ボタン６２を用いてフォルダーを選択する。フォルダー切り換え画面において再びキャンセル／フォルダー選択ボタン５６が押されると、元の所定の撮影モードに戻る。
【００９３】
電源／モードレバー５４が再生モードにセットされると、カメラ１０は再生モードとなる。再生モード移行時には、撮影モードで選択されていたフォルダーの最後に記録された画像から再生される。再生モードにおいても、フォルダーの変更が可能である。
【００９４】
再生モードから電源／モードレバー５４を「撮影モード」に戻すと、ストロボ充電状態（＃４０２）に移行し、充電完了後に、撮影メニューで設定されているＬＣＤ設定に従ってＯＳＤオンのムービーモード（＃４０４）、又はスチルモード（＃４０８）の何れかのモードに遷移することになる。
【００９５】
なお、電源／モードレバー５４を「撮影モード」に戻した時に既に充電が完了している場合には、充電処理を省略して、直ちにＯＳＤオンのムービーモード（＃４０４）、又はスチルモード（＃４０８）の何れかのモードに遷移する。
【００９６】
次に、撮影モードにおける操作手順について説明する。
【００９７】
電源／モードレバー５４を撮影モード位置に合わせると、カメラ１０は撮影モードとなる。撮影メニューにおいてＬＣＤオンの設定がなされている場合、文字液晶２８と液晶モニタ５０には図１５（ａ）のような表示がなされる。文字液晶２８には現在の選択にかかるフォルダー番号、標準撮影可能枚数、電池残量、日付が表示される。
【００９８】
液晶モニタ５０の画面には、ＣＣＤ９０が捉えるスルー画（ライブ画像）が表示されるとともに、状況に応じて画面左上に撮影モードであることを示すモード情報１２０、手ブレ警告マーク１２２、画面右上にファイル番号、マクロマーク１２６、ストロボモード情報１２８、中央にはＡＦターゲットマーク１３０、画面下には日付、時刻、電池残量警告１３２等が表示される。
【００９９】
この状態でキャンセル／フォルダー選択ボタン５６を押すと、同図（ｂ）に示すようにフォルダー切り替え画面に移行する。この時、文字液晶２８のフォルダー番号表示部４４が点滅し、液晶モニタ５０の画面中央部には、フォルダーを図案化したフォルダーマーク１３４と、現在選択されているフォルダー番号（同図（ｂ）では「１００」）が表示される。
【０１００】
前記フォルダーマーク１３４の下には「フォルダー」という説明文字と、確定時にはメニュー／実行ボタン６２を押下すべきことを示唆する記述『確定→[ 実行 ]』が表示される。この画面において、上下カーソルボタン６６でフォルダーを移動させる。
【０１０１】
上カーソルボタン６６Ａを一回押すと、同図（ｃ）に示すように、フォルダー番号の表示が「１０１」に変わる。以後、上カーソルボタン６６Ａを一回押す毎にフォルダー番号が１ずつアップし、同図（ｄ）に示すように、フォルダー番号「１０９」まで変更できる。また、下カーソルボタン６６Ｂを一回押す毎にフォルダー番号が１ずつダウンする。
【０１０２】
カレントが「１０９」であるときに上カーソルボタン６６Ａを押すと「１００」のフォルダーとなり、カレントが「１００」であるとき下カーソルボタン６６Ｂを押すと「１０９」のフォルダーとなる。なお、上カーソルボタン６６Ａ又は下カーソルボタン６６Ｂを１秒間以上押し続けると、選択できるフォルダーが連続的に切り替わる。
【０１０３】
所望のフォルダー番号が表示されている時にメニュー／実行ボタン６２を押すと、選択フォルダーが確定して、同図（ａ）に示したように、フォルダー切り換え画面から元の撮影モード画面に復帰し、文字液晶２８のフォルダー情報の点滅表示が通常の表示に戻り、選択に係るフォルダー番号が表示される。
【０１０４】
仮に、現在選択中のフォルダーにこれ以上記録ができない場合、以降の撮影動作が禁止され、エラーとして文字液晶２８には、図１６（ａ）に示すように、フォルダー番号表示部４４の表示を消し、コマ番号／情報表示部４５において「ＦＬ１」という表示が行われるとともに、液晶モニタ５０には同図（ｂ）に示すような「！ＦＩＬＥ  ＮＯ．ＦＵＬＬ」という警告メッセージの表示が行なわれる。
【０１０５】
選択中のフォルダーにこれ以上記録ができない場合としては、▲１▼フォルダー内のファイルが９９９９よりも大きくなった場合と、▲２▼メモリカードのメモリ容量が一杯（full）になった場合がある。また、▲２▼の場合は、液晶モニタ５０において「！ＦＩＬＥ  ＮＯ．ＦＵＬＬ」という警告メッセージの下に、記録可能枚数
”０”と表示される。
【０１０６】
▲１▼の場合に撮影動作禁止を解除するためには、別のフォルダーを選択するか、現在のフォルダー内のファイルを一部又は全部を消すことが必要となる。ただし、ファイル番号を消去した場合、消したファイル番号を使用して画像を保存することになる。
【０１０７】
その一方、▲２▼の場合に撮影動作禁止を解除するためには、現在のフォルダー内のファイルを一部又は全部を消すか、別の記録媒体（メモリカード）に記録することが必要である。
【０１０８】
また、既述のとおり、本例のカメラ１０はコマ番号を記録するコマNo. メモリ機能を有している。コマNo. メモリ機能がＯＮ状態になった場合、別の記録媒体（メモリカード）に交換しても、ファイル番号が９９９９に達していると、交換した別の記録媒体に記録することができない。ただし、このような場合には、コマNo. メモリ機能をＯＮからＯＦＦ状態に変更すれば、別の記録媒体に記録することが可能になる。
【０１０９】
フォルダーを選択した後、レリーズボタン２６の半押し操作（Ｓ1 オン）により、ＡＥ、ＡＦ制御が作動し、全押し操作（Ｓ2 オン）によって記録用画像の取り込みとデータ圧縮及び記録処理を開始して画像ファイルを作成する。なお、スルー画を液晶モニタ５０に出力するムービーモードの場合、取り込んだ静止画を一定時間液晶モニタ５０に表示（フリーズ画表示）する。
【０１１０】
選択に係るフォルダー内に画像ファイルが１つも格納されていない場合には、このデータ記録時（最初の記録時）に実際にフォルダーが作成され、当該フォルダー内に画像ファイルが格納される。以後、フォルダーを変更しない限り、同じフォルダーに撮影した画像のファイルが格納される。
【０１１１】
撮影モードでは、電源オフ操作やオートパワーオフ機能によってパワーオフとなっても、選択したフォルダーを記憶しており、次回撮影モードにセットした時には、前回の選択に係るフォルダーの設定が維持されている。もし、メモリカード８８を交換したことにより、選択に係るフォルダー番号と同じ番号のフォルダーが存在しない場合には、順次大きいフォルダー番号のフォルダーが自動的に代替選択される。
【０１１２】
次に、再生モードを説明する。
【０１１３】
電源／モードレバー５４を再生モード位置に合わせると、カメラ１０が再生モードに設定される。再生モードオン、又は撮影モードから再生モードに変更した場合、撮影モードで選択されていたフォルダーの最終記録画像（ファイル番号の最大のファイル）が再生される。
【０１１４】
図１７（ａ）には再生モードにおける文字液晶２８と液晶モニタ５０表示例が示されている。文字液晶２８には、現在選択されているフォルダー番号（同図（ａ）では「１００」）と、再生（プレイバック）モードであることを示す「Ｐｂ」なるモード表示、及び電池残量が表示される。液晶モニタ５０には、必要に応じて画面左上に再生モードであることを示すモード情報１３６、画面右上にコマ番号表示１３８、ファイル名表示１４０、プロテクト（誤消去防止）設定マーク１４２、プリント情報（ＤＰＯＦ情報）設定マーク１４４、画面下に日時、電池残量警告等が表示される。
【０１１５】
この再生画面において右カーソルボタン６７を押下することにより１コマ順送りが行われ、左カーソルボタン６８により１コマ逆送り再生が行われる。
【０１１６】
右カーソルボタン６７又は左カーソルボタン６８を１秒間以上押し続けるとダイレクトコマ番号指定モードに移行する。ダイレクトコマ番号指定モードでは、コマ番号表示がジャンプ先のコマ番号を示す表示となり、右カーソルボタン６７又は左カーソルボタン６８を押し続けている間、コマ番号が連続的に＋１カウントアップ、又は−１カウントダウンしていく。そして、右カーソルボタン６７又は左カーソルボタン６８の押下を解除した時に表示されているコマ番号へジャンプし、そのコマを再生するようになっている。
【０１１７】
図１７（ａ）の画面の時にキャンセル／フォルダー選択ボタン５６を押下すると、同図（ｂ）に示すようにフォルダー切り換え画面に移行する。この時、文字液晶２８のフォルダー番号表示部４４が点滅し、液晶モニタ５０の画面中央部には、フォルダーマーク１３４と、現在選択されているフォルダー番号（同図（ｂ）では「１００」）が表示される。
【０１１８】
前記フォルダーマーク１３４の下には「フォルダー」という説明文字と、確定時にはメニュー／実行ボタン６２を押下すべきことを示唆する記述『確定→[ 実行 ]』が表示される。この画面において、上下カーソルボタン６６でフォルダーを移動させる。
【０１１９】
フォルダーの選択に関する操作は図１５で説明した場合と同様であり、上カーソルボタン６６Ａを一回押すと、図１７（ｃ）に示すように、フォルダー番号の表示が＋１アップして「１０１」に変わる。以後、上カーソルボタン６６Ａを一回押す毎にフォルダー番号が＋１ずつアップし、同図（ｄ）に示すように、フォルダー番号「１０９」まで移動できる。また、下カーソルボタン６６Ｂを一回押す毎にフォルダー番号が−１ずつダウンする。
【０１２０】
カレントが「１０９」であるときに上カーソルボタン６６Ａを押すと「１００」のフォルダーとなり、カレントが「１００」であるとき下カーソルボタン６６Ｂを押すと「１０９」のフォルダーとなる。上カーソルボタン６６Ａ又は下カーソルボタン６６Ｂを１秒間以上押し続けると、選択できるフォルダーが連続的に切り替わる。
【０１２１】
所望のフォルダー番号が表示されている時にメニュー／実行ボタン６２を押すと、選択フォルダーが確定して、同図（ａ）に示したように通常の再生画面に復帰し、文字液晶２８のフォルダー情報の点滅表示が通常の表示に戻り、選択に係るフォルダー番号が表示される。フォルダー確定後、そのフォルダー内の最終記録コマの再生が行われる。
【０１２２】
仮に、カメラ１０に装着されているメモリカード８８中に再生するフォルダーが存在しない場合には、図１８（ａ）に示すように、文字液晶２８には、フォルダー番号表示部４４の表示を消し、コマ番号／情報表示部４５において「Ｐｂ」という表示がなされ、液晶モニタ５０上にＯＳＤで「00000000.000」という表示がなされる。
【０１２３】
本例のカメラ１０では、予め複数のフォルダー「１００」〜「１０９」が用意され、所定のフォルダーを選択して、そのフォルダー内で画像の記録、再生を行うようにしたので、これら複数のフォルダーを用途別（撮影場所別、撮影曜日別、被写体別など）に使い分けることができ、後でパソコン等に画像データを転送する時のデータ整理が便利になる。
【０１２４】
別のフォルダーで再生、記録処理を行いたい場合は、使用しているフォルダーを閉じなければ使用できない。予め用意されるフォルダーの数、又はフォルダー名（番号）は上記実施の形態の例に限らず、フォルダーの数は二以上いくつであってもよく、フォルダー名（番号）の定めかたは自由である。
【０１２５】
上述したカメラ１０では「１００」から「１０９」までの１０個のフォルダーのみ使用することができ、「１１０」以上のフォルダーNo. のフォルダーを利用できないようになっている。他機種のカメラで撮影したメモリカードでは、フォルダーNo. が１１０以上の場合がありうるが、この場合、本例のカメラ１０では１１０以上のフォルダーの再生をすることができない。
【０１２６】
上記実施の形態では、静止画を記録するデジタルカメラを例に述べたが、本発明の適用範囲は静止画記録用のカメラに限らず、動画記録用カメラ、或いは動画と静止画の両記録機能を兼備したカメラにも適用することができる。
【０１２７】
上記実施の形態では、記録媒体としてカメラ本体に着脱自在な外部記録媒体（リムーバブルメディア）を用いたが、記録媒体の一つ又は両方をカメラに内蔵される内部メモリ（或いは内蔵ハードディスク）とする構成も可能である。この場合、内部メモリに格納された画像データは、有線又は無線の通信手段（インターフェース）を介して外部に出力されることになる。
【０１２８】
【発明の効果】
以上説明したように本発明に係る電子カメラによれば、記録媒体に複数のフォルダーを備え、フォルダー選択手段によって、ユーザーが所望のフォルダーを選択して、そのフォルダーの中で、データの記録、再生を行えるようにしたので、フォルダーを用途別に使い分けることで、撮影後の画像の整理、検索が便利になる。
【０１２９】
また、本発明によれば、予め複数のフォルダーが仮想的に用意されており、選択されたフォルダーに画像データを記録する時に当該フォルダーを実際に作成するようにしたので、空のフォルダーが作成されず、ファイル管理が容易である。
【図面の簡単な説明】
【図１】本発明の実施の形態に係るデジタルカメラの外観図
【図２】図１に示したカメラの平面図
【図３】カメラの液晶表示パネル（文字液晶）の拡大図
【図４】図１に示したカメラの背面図
【図５】図１に示したカメラの底面側斜視図
【図６】本例のカメラ底部におけるメディアスロット周辺の要部拡大図
【図７】本例のカメラのブロック図
【図８】メモリカードのフォルダー階層構造図
【図９】本例のカメラに設けられているコマ番号メモリ機能の概念図
【図１０】再生モードにおける液晶モニタの表示例を示す図
【図１１】フォルダー内のファイル管理機能をリセットする様子を示す説明図
【図１２】フォルダー選択操作の手順を示す説明図
【図１３】フォルダー選択操作の手順を示す説明図
【図１４】撮影モードにおけるモード遷移図
【図１５】撮影モードにおけるフォルダー選択時の文字液晶及び液晶モニタの表示例を示す図
【図１６】選択中のフォルダーにこれ以上記録できないという状況の警告表示の一例を示す図
【図１７】再生モードにおけるフォルダー選択時の文字液晶及び液晶モニタの表示例を示す図
【図１８】再生モード時に選択できるフォルダーが存在しない場合の警告表示の一例を示す図
【符号の説明】
１０…カメラ（電子カメラ）、２８…液晶表示パネル（情報表示手段）、５０…液晶モニタ（表示手段）、５４…電源／モードレバー（モード選択手段）、５６…キャンセル／フォルダー選択ボタン（フォルダー選択手段）、５８…十字ボタン（フォルダー選択手段）、６２…メニュー／実行ボタン（フォルダー選択手段）、７６…メディアスロット（記録手段）、８８…メモリカード（記録媒体）、９０…ＣＣＤ（撮像素子）、１１０…ＣＰＵ（フォルダー作成手段、記録制御手段、ファイル名自動付与手段、再生制御手段、禁止手段）
【図１】
0003978530.tif 000002
【図２】
0003978530.tif 000003
【図３】
0003978530.tif 000004
【図４】
0003978530.tif 000005
【図５】
0003978530.tif 000006
【図６】
0003978530.tif 000007
【図７】
0003978530.tif 000008
【図８】
0003978530.tif 000009
【図９】
0003978530.tif 000010
【図１０】
0003978530.tif 000011
【図１１】
0003978530.tif 000012
【図１２】
0003978530.tif 000013
【図１３】
0003978530.tif 000014
【図１４】
0003978530.tif 000015
【図１５】
0003978530.tif 000016
【図１６】
0003978530.tif 000017
【図１７】
0003978530.tif 000018
【図１８】
0003978530.tif 000019